【事件の表示】
　特願２０１５−１７５２０３号「遊技機」拒絶査定不服審判事件〔平成２９年３月９日出願公開、特開２０１７−４７１３３号〕について、次のとおり審決する。
【結　論】
　本件審判の請求は、成り立たない。
【理　由】
第１　手続の経緯の概要
　本願は、平成２７年９月４日の出願であって、平成３０年８月２９日付けで手続補正書が提出され、令和元年５月７日付けで拒絶の理由が通知され、同年７月３日に意見書及び手続補正書が提出されたところ、同年１０月２８日付け（送達日：同年１１月５日）で拒絶査定（以下「原査定」という。）がなされ、それに対して、令和２年１月２８日に拒絶査定不服審判の請求がなされると同時に手続補正がなされたものである。
　
第２　令和２年１月２８日付けの手続補正についての補正の却下の決定
[補正の却下の決定の結論]
　令和２年１月２８日付けの手続補正（以下「本件補正」という。）を却下する。
[理由]
　１　補正の内容
　本件補正は、特許請求の範囲の請求項１を補正する内容を含むものであり、本件補正により、（１）令和元年７月３日付け手続補正書の特許請求の範囲の請求項１における
「遊技球が流下可能な遊技領域を前面に備える遊技板と、
　前記遊技板の前面から突出し、前記遊技領域を包囲する包囲壁と、
　前記遊技領域を流下する遊技球を受け入れて、遊技者に特典を付与する入賞口と、
　前記遊技領域を流下する遊技球を前記遊技板の後側に受け入れて前側に戻さず、遊技者に特典を付与しないアウト口と、を有する遊技機において、　前記遊技板の最下部近傍に配置された第１の前記アウト口と、
　前記第１のアウト口より上側で前記包囲壁の内側に隣接配置される隣接突部と、
　前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、
　前記隣接突部に設けられ、前記ガイド傾斜面から延長した架空の延長面より下方に位置しかつ、前記入賞口と第２の前記アウト口とを有する特別入球部と、を備えたことを特徴とする遊技機。」は、
　審判請求時に提出された手続補正書（令和２年１月２８日付け）における
「遊技球が流下可能な遊技領域を前面に備える遊技板と、
　前記遊技板の前面から突出し、前記遊技領域を包囲する包囲壁と、
　前記遊技領域を流下する遊技球を受け入れて、遊技者に特典を付与する入賞口と、
　前記遊技領域を流下する遊技球を前記遊技板の後側に受け入れて前側に戻さず、遊技者に特典を付与しないアウト口と、を有する遊技機において、　前記遊技板の最下部近傍に配置された第１の前記アウト口と、
　前記第１のアウト口より上側で前記包囲壁の内側に隣接配置される隣接突部と、
　前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、
　前記隣接突部に設けられ、前記ガイド傾斜面から延長した架空の延長面より下方に位置しかつ、前記入賞口と第２の前記アウト口とを有する特別入球部と、を備え
、
前記特別入球部には、２つの前記入賞口が設けられ、前記２つの入賞口は互いに異なる方向に開口している
　
　２　補正の適否
　（１）新規事項の追加について
　　　ア　本件補正の補正事項
　本件補正は、本件補正前の特許請求の範囲の請求項１（以下「本件補正前請求項１」という。）の記載事項について、次の補正を行うものである。
　　　（ア）特別入球部が有する入賞口について「前記特別入球部には、２つの前記入賞口が設けられ、前記２つの入賞口は互いに異なる方向に開口している」（以下「本件補正発明」という。）と限定する。
　
　　　イ　本件補正についての請求人の主張
　　　（ア）請求人は、本件補正について、令和２年１月２８日付け審判請求書の【請求の理由】の「３．補正の説明」において、次の主張をしている。
　「（１）令和１年７月３日付け手続補正書による補正後の請求項１に記載の「特別入球部」が有する「入賞口」について、「入賞口」は「
２つ
設けられ
互いに異なる方向に開口している
　　　（イ）また、請求人は同審判請求書の【請求の理由】の「４．本願発明が特許されるべき理由」において、本件補正に係る限定の効果として次の主張をしている。
　「本願請求項１の発明は、隣接突部に備えられた特別入球部に、２つの入賞口が設けられ、これら２つの入賞口が互いに異なる方向に開口している、という特徴的な構成を有しています。２つの入賞口の開口の向きが異なることで、特別入球部に到達した遊技球が、一方の入賞口には入球できないような方向から流下してきたとしても、他方の入賞口には入球して特典を得られることもあり、遊技球の多様な流下態様に対応して、入賞口に入賞する遊技球の動作のバリエーションを増やすことができ、趣向性が高い遊技を楽しむことができます。」
　
　　　ウ　新規事項の追加についての合議体の判断
　本件補正が、本願の願書に最初に添付した明細書、特許請求の範囲、又は図面（以下「当初明細書等」という。）に記載した事項の範囲内においてなされたものであるのか否かを、以下に検討する。
　　　（ア）当初明細書等の記載
　本件補正の補正事項に関し、当初明細書等には、次の事項が記載されている（下線は合議体で付した。以下同じ。）。
「
第１入賞口５７は、側面湾曲部５３のうち水平になった部分におけるアウト口５６寄りの位置に開口して上方を向いている。
第２入賞口５８は、側面湾曲部５３の端部から中央向側部５４の下端寄り位置に亘る範囲に開口して斜め上方を向いている。
遊技領域Ｒ１には、複数の釘Ｎが分散配置されている。
複数の釘Ｎのうち一部の釘Ｎは、一列に並んで釘道を構成している。
遊技球がほとんど第１下部釘道６０上へと案内される。
「
第１下部釘道６０は、直線状に延び、右下がりに傾斜している。
「
第１下部釘道６０には、その第１下部釘道６０を構成する釘Ｎ同士を、遊技球１個以上、１．５個未満の大きさ（より詳細には、遊技球が丁度１つ通過する大きさ）で離間させた転落部６０Ａ，６０Ｂが形成されている。
第１下部釘道６０の下方には、第１下部釘道６０と平行に延びた第２下部釘道６１が備えられている。
、左サイド役物５０における上端傾斜部５２の右下方から隣接する位置から下部中央役物４１の左近傍位置に亘って直線状に延びている。
第２下部釘道６１には、第１下部釘道６０の転落部６０Ａ，６０Ｂと同様の転落部６１Ａ（本発明の「流入部」に相当する），６１Ｂ，６１Ｃ等が形成され、転落部６１Ａは第２下部釘道６１の上端に位置し、転落部６１Ｂ，６１Ｃは、左サイド役物５０と普通入賞装置４９との中間に位置している。
第２下部釘道６１と、左サイド役物５０における側面湾曲部５３と中央向側部５４との境界部分との間は、遊技球１つ未満の大きさをなしている。
転落部６１Ａを通過した遊技球が必ず側面湾曲部５３に配置されたアウト口５６又は第１入賞口５７（図７参照）に入球する。
「
図１に示した風車案内釘道６５の転落部から転落した遊技球は、第３ガイドレール３３に案内されて下方に向かうことがある。
本実施形態の遊技機では、第３ガイドレール３３のうち最下部から離れた部分（左右方向の中心からズレた位置）に左サイド役物５０が隣接配置されているので、第３ガイドレール３３伝いに流下してくる遊技球がそのまま最下部まで流下することがなくなり、左サイド役物５０の上端傾斜部５２に当接して、第３ガイドレール３３から離れて遊技領域Ｒ１の下部中央側に向かう。
遊技球は、第２下部釘道６１に移動して下部中央役物４１側に向かう。
第２下部釘道６１の上端の転落部６１Ａから遊技球が転落すると、その遊技球は、側面湾曲部５３と第２下部釘道６１とに挟まれた領域から出ることはなく、アウト口５６か第１入賞口５７かの何れかに必ず入球する。
それらアウト口５６と第１入賞口５７とは、転落部６１Ａの真下となる位置に対して左側と右側とに分けて隣り合わせに配置されているので、転落部６１Ａから真下に落下した遊技球は、アウト口５６か第１入賞口５７かにランダムに分かれて入球し、それらの何れかに入球するかは直前まで分からないので、趣向性が高い遊技を楽しめる。
　　
　　　（イ）判断
　上記記載と図７−９の図示から、釘Ｎの配置により多様な流下経路で遊技球が流下し、転落部６１Ａを経由する流下経路の遊技球は、「第１入賞口５７は」「開口」が「上方を向いて」（【００５１】）おり、「転落部６１Ａは第２下部釘道６１の上端に位置し」（【００５６】）、かつ、「第２下部釘道６１と、左サイド役物５０における側面湾曲部５３と中央向側部５４との境界部分との間は、遊技球１つ未満の大きさをなしている。」（【００５６】）ため、転落部６１Ａを通過後、第２入賞口５８への移動が制限され、「必ず側面湾曲部５３に配置されたアウト口５６又は第１入賞口５７（図７参照）に入球」（【００５６】）し、一方、転落部６１Ｂを経由する流下経路の遊技球は、「第２入賞口５８は」「開口」が「斜め上方を向いて」（【００５１】）おり「転落部６１Ｂ，６１Ｃは、左サイド役物５０と普通入賞装置４９との中間に位置し」（【００５６】）、当該転落部６１Ｂが第２の入賞口５８の正面視右上に位置し、かつ、「第２下部釘道６１と、左サイド役物５０における側面湾曲部５３と中央向側部５４との境界部分との間は、遊技球１つ未満の大きさをなしている。」（【００５６】）することから、転落部６１Ｂを通過した遊技球の第１入賞口５７への移動が制限され、右上に開口する当該第２の入賞口５８に入球し得るものと認められる。
　よって、当初明細書等には、遊技球が、釘Ｎの配置により転落部６１Ａを経由する流下経路となった場合、上方を向いて開口する第１の入賞口５７に入球し得るが、「左サイド役物５０」の形状および配置から、第２の入賞口５８への入球は不能となり、また、同様に、遊技球が、釘Ｎの配置により転落部６１Ｂを経由する流下経路となった場合、「左サイド役物５０」の形状および配置から、斜め上方を向いて開口する第２の入賞口５８に入球し得るが、第１の入賞口５７への入球は不能となる構成（以下「当初明細書等記載の構成」という。）が記載されているものと認められる。
　
　一方、本件補正後の請求項１では、単に、本件補正事項が特定されるのみである。
　ここで、請求人は、審判請求書における上記主張イ（イ）において、「本願請求項１の発明は、…入球部に、２つの入賞口が設けられ、これら２つの入賞口の開口の向きが異なることで、特入球部に、２つの入賞口が設けられ、これら２つの入賞口の開口の向きが異なることで、特別入球部に到達した遊技球が一方の入賞口には入球できないような方向から流下してきたとしても、他方の入賞口には入球して特典を得られることもあ」る旨、主張する。これは、本件補正事項により、「特別入球部に到達した遊技球が、…特典を得られることもあ」るという効果（以下、単に「本件効果」という。）を奏し得ることを主張するものと解される。
　そこで、以下、本件効果を奏し得る構成としての本件補正事項が、当初明細書等に記載されているかを検討する。
　当初明細書等には、「第２下部釘道６１と、左サイド役物５０における側面湾曲部５３と中央向側部５４との境界部分との間は、遊技球１つ未満の大きさをなしている。」ため、結果として、「転落部６１Ａ」を通過した遊技球、「転落部６１Ｂ」を通過した遊技球は、それぞれ、「第２の入賞口５８」、「第１の入賞口５７」入球できなくなる旨の記載はあるが、左サイド役物５０（特別入球部）「に到達した遊技球が一方の入賞口には入球できないような方向から流下してきたとしても、他方の入賞口には入球して特典を得られることもあ」る効果は、記載も示唆もされていない。
　ここで、審判請求書における上記主張イ（イ）における効果について検討すると、釘を備えることやその釘をどのような配置とするかや、「特別入球部」の形状およびその配置についてなんら特定しない本件補正事項のみで、請求人が主張する上記「特別入球部に到達した遊技球が一方の入賞口には入球できないような方向から流下してきたとしても、他方の入賞口には入球して特典を得られることもあり、遊技球の多様な流下態様に対応して、入賞口に入賞する遊技球の動作のバリエーションを増やすことができ、趣向性が高い遊技を楽しむことができます。」（イ（イ））なる効果を奏することは、当初明細書等には記載も示唆もされていない。また、逆に、当該効果を奏し得る構成としての本件補正事項が、当初明細書等に記載も示唆もされていないともいえる。
　さて、「第１の入賞口５７」、「第２の入賞口５８」から、一見すると、単に、本件補正事項が記載されているようにも見受けられる。
　しかし、上記検討のとおり、当初明細書等に、本件効果を奏し得る構成としての本件補正事項が記載されているとも、示唆されているとも、認められない（なお、本件効果を奏し得るものではない、単に、本件補正事項は記載されているとはいえる。）。
　したがって、本件効果を奏し得る構成としての本件補正事項は、当初明細書等に記載も示唆もされていない。
　
　　　エ　小括
　上記ア〜ウのとおりであるから、当初明細書等には、本件効果を奏し得る構成としての本件補正事項が記載されているとは認められず、本件補正前請求項１に、本件効果を奏し得る構成としての本件補正の補正事項を付加することは、当初明細書等に記載した事項との関係において、新たな技術的事項を導入するものである。
　したがって、本件補正は、当初明細書等に記載された範囲内においてなされたものではないから、本件補正は、特許法第１７条の２第３項の規定に違反する。
　よって、本件補正は、同法第１７条の２第３項の規定に違反するので、同法第１５９条第１項において読み替えて準用する同法第５３条第１項の規定により却下すべきものである。
　
　（２）独立特許要件について
　上記（１）で検討したとおりであるが、本件補正が、単に、（本件効果を奏し得る構成ではない）本件補正事項を付加するものであって、仮に、当初明細書等に記載した事項の範囲内においてするものである場合、本件補正後の請求項１に係る発明は、本件補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正である。そこで、本件補正後の請求項１に記載された発明（以下「本件補正発明」という。）が特許出願の際独立して特許を受けることができるか否か（特許法第１７条の２第６項において準用する同法第１２６条第７項の規定に適合するか否か）についてさらに検討する。
　
　　　ア　本件補正発明
　本件補正発明は次のとおりのものである。
「Ａ　遊技球が流下可能な遊技領域を前面に備える遊技板と、
　Ｂ　前記遊技板の前面から突出し、前記遊技領域を包囲する包囲壁と、　　Ｃ　前記遊技領域を流下する遊技球を受け入れて、遊技者に特典を付与する入賞口と、
　Ｄ　前記遊技領域を流下する遊技球を前記遊技板の後側に受け入れて前側に戻さず、遊技者に特典を付与しないアウト口と、を有する遊技機において、
　Ｅ　前記遊技板の最下部近傍に配置された第１の前記アウト口と、
　Ｆ　前記第１のアウト口より上側で前記包囲壁の内側に隣接配置される隣接突部と、
　Ｆ１　前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、　Ｆ２　前記隣接突部に設けられ、前記ガイド傾斜面から延長した架空の延長面より下方に位置しかつ、前記入賞口と第２の前記アウト口とを有する特別入球部と、を備え、
　Ｇ　前記特別入球部には、２つの前記入賞口が設けられ、前記２つの入賞口は互いに異なる方向に開口している
　Ｈ　ことを特徴とする遊技機。」（なお、記号ＡないしＨは、分説するため、合議体が付した。）。　
　
　　　イ　引用文献について
　　　（ア）引用文献１
　原査定の拒絶の理由に引用文献として引用された、本願の出願前に電気通信回線を通じて公衆に閲覧可能となった特開２０１５−０９７７６５号公報（以下「引用文献１」という。）には、図面とともに以下の事項が記載されている。
　　　　　ａ　記載事項について
　　　　　（ａ）
「【技術分野】
【０００１】
　本発明は、遊技盤の前側に画成された遊技領域をパチンコ球が流下して遊技が行われる
遊技機
…
【０００４】
　前記
アウト口は遊技領域の最下部にのみ設けられているため、パチンコ球が遊技領域を流下する途中でのパチンコ遊技が単調となり、面白みに欠ける難点が指摘される。
【０００５】
…
遊技領域を流下する遊技球の動きに対する関心を高めて、遊技の興趣を向上させ得る遊技機を提供することを目的とする。
　
　　　　　（ｂ）
「【００１５】
(パチンコ機１０について)
…このパチンコ機１０には、矩形枠状に形成されて遊技店の図示しない設置枠台に固定される固定枠としての外枠１１の開口前面側に、後述する
遊技盤２０
【００１６】
…前記遊技盤２０に形成された第１経路３０ａ(後述)をパチンコ球が流下する所謂「左打ち」と、
該遊技盤２０に形成された第２経路３０ｂ(後述)をパチンコ球が流下する所謂「右打ち(ゴム打ち)」とを打ち分け得るようになっている。
【００１８】
　図２に示すように、前記
遊技盤２０の前面には、左側部の上下隅部に第１および第２盤面保護部材２１ａ,２１ｂが夫々配設されると共に、右側部において上下隅部に亘るように第３盤面保護部材２１ｃが配設されている。
該第１〜第３盤面保護部材２１ａ,２１ｂ,２１ｃの内縁に沿って配設された略円形状に湾曲形成された案内レール２２および第３盤面保護部材２１ｃにより、パチンコ球が流下可能な遊技領域２０ａが画成されている。
実施例では、案内レール２２および第３盤面保護部材２１ｃが、パチンコ球が流下可能な遊技領域２０ａを画成するレール部材として機能する。
　【００１９】
　前記遊技盤２０には、前後に貫通する装着口(図示せず)が前記遊技領域２０ａ内に複数開設されて、各装着口に対して各種の遊技部品が前側から取り付けられると共に、
遊技領域２０ａの最下部位置には、該遊技領域２０ａに打ち出されたパチンコ球を排出する第１アウト口２４が開設されている。
　
　　　　　（ｃ）
「【００２３】
　前記枠状装飾体２９の庇部２９ｃは、枠状装飾体２９(台板２９ｂ)の左側縁の略中間位置から上縁および右下縁に亘って連続して延在するよう設けられており、前記図柄表示装置１７における表示部１７ａの前面側を横切ってパチンコ球が流下(落下)するのを規制している。また庇部２９ｃは、最上部位置から左右方向に下方傾斜するよう形成されて、遊技領域２０ａに打ち出されたパチンコ球が庇部２９ｃ上で滞ることなく枠状装飾体２９の左側方または右側方へ誘導案内されるよう形成されている。すなわち、枠状装飾体２９の外側に画成される流下経路３０ａ,３０ｂは、図２に示す如く、該枠状装飾体２９の左側方をパチンコ球が流下する第１経路３０ａ、および枠状装飾体２９の右側方をパチンコ球が流下する第２経路３０ｂに分かれており、前記打球発射装置により
遊技領域２０ａ内に発射されたパチンコ球は、
枠状装飾体２９および第３盤面保護部材２１ｃの間に形成される第２経路３０ｂ
を流下する
・・・
【００２５】
(特殊入賞装置３４について) 
 前記枠状装飾体２９には、前記ステージ３１の右側部に、前記第２経路３０ｂを流下するパチンコ球が入賞可能な特殊入賞装置３４が配設されている。この特殊入賞装置３４は、前記庇部２９ｃの右下縁の内側に設けられたものであって、該庇部２９ｃに形成されて第２経路３０ｂに開口する特殊入賞口３４ａを開閉する開閉部材３４ｂや、特殊入賞口に入賞したパチンコ球を検出するセンサ等を備えている。前記開閉部材３４ｂは、駆動手段としての特殊入賞ソレノイド(図示せず)の駆動に伴って特殊入賞口３４ａを閉鎖する閉鎖位置と開放する開放位置に変位するよう構成される。なお、
特殊入賞装置３４を囲繞する庇部２９ｃと
第３盤面保護部材２１ｃとの間の第２経路３０ｂに、遊技盤２０に配設された
サイド装飾体３８が位置している。
　
　　　　　（ｄ）
「【００３２】
(サイド装飾体３８について)
　前記第２装着口の右方で第４装着口の下方に開設された第５装着口に、遊技領域２０ａに開口して第２経路３０ｂを流下するパチンコ球が入球可能な第２普通入賞口４５、特別入賞口５２およびアウト口４７,４９が設けられたサイド装飾体３８が取り付けられている。第５装着口を介して遊技盤２０に配設されたサイド装飾体３８は、図２に示す如く、前記枠状装飾体２９より右側下部の遊技領域２０ａにおいて、該枠状装飾体２９に設けた前記特殊入賞装置３４の下方に離間して位置して、
第２経路３０ｂにおいて特殊入賞装置３４を囲繞している庇部２９ｃの外側(右側および下側)を流下するパチンコ球が、該サイド装飾体３８に設けた各口４５,５２,４７,４９に入球可能になっている。
【００３３】
　前記第３盤面保護部材２１ｃに沿って遊技盤２０に形成された第５装着口に配設される前記
サイド装飾体３８は、図２,図３に示す如く、前記枠状装飾体２９に設けた前記特殊入賞装置３４の右側方に臨む位置から前記始動入賞装置３５の配設位置までの間に亘って延在する概略弓形状の部材であって、該サイド装飾体３８は、第３盤面保護部材(レール部材)２１ｃの内側(枠状装飾体２９を向く側)に沿って枠状装飾体側が凹となる姿勢で遊技盤２０に配設されている。サイド装飾体３８は、前後に分割可能な本体４１と前構成部材４２とからなる基部材に、各種の遊技部品を組み付けた１つユニットとして取り扱い得るよう構成されている。
【００３４】
(前構成部材４２について)
　前記
サイド装飾体３８は、前記本体４１の前側に配設されて、前記第３盤面保護部材(レール部材)２１ｃの内側に隣接するように延在する前記前構成部材４２を備え、該前構成部材４２が遊技領域２０ａ(第２経路３０ｂ)に臨んでいる。
【００３５】
　
前記前構成部材４２には、前記前壁４２ａにおける左右方向に延在する上側の端縁部に沿って延在する上側壁４２ｂの上面(外側面)に、遊技領域２０ａ(第２経路３０ｂ)を流下するパチンコ球を受けて右側から左側に向かってパチンコ球を転動させ得る転動面４３が形成されている。上側壁４２ｂは、図４,図７,図８に示す如く、後述する第２アウト口４７、第２普通入賞口４５、第３アウト口４９および特別入賞口５２の画成部分が切り欠かれて、左右方向に不連続に延在している。そして、このように不連続で延在する上側壁４２ｂの上面に形成される転動面４３は、前構成部材４２の最も右側の上部に位置する第１転動面部４３ａと、該第１転動面部４３ａとは第２アウト口４７を挟んだ左側に離間位置する第２転動面部４３ｂと、第２転動面部４３ｂとは第２普通入賞口４５を挟んだ左側に離間位置する第３転動面部４３ｃと、第３転動面部４３ｃとは第３アウト口４９を挟んだ左側に離間位置する第４転動面部４３ｄおよび第４転動面部４３ｄとは特別入賞口５２を挟んだ左側に離間位置する第５転動面部４３ｅとから構成される。
第１転動面部４３ａおよび第３〜第５転動面部４３ｃ,４３ｄ,４３ｅが左下方傾斜する
第２転動面部４３ｂは右下方傾斜
【００３６】
(第２アウト口４７について)
　前記前構成部材４２には、図３,図４に示す如く、
前記第１転動面部４３ａと第２転動面部４３ｂとの間に、上方に開口する第２アウト口(アウト口)４７が設けられている。
【００３７】
(第２普通入賞口４５について)
　前記前構成部材４２には、図８に示す如く、
第２転動面部４３ｂと第３転動面部４３ｃと間に、前壁４２ａから後方に延在する普通球受け通路部４４が設けられている。普通球受け通路部４４は、図４,図６に示す如く、前壁４２ａと本体４１の固定壁４１ａとの間に亘って延在するよう形成されると共に、上方に開口する樋形状に形成されている。
普通球受け通路部４４における前壁４２ａと固定壁４１ａとの間において上方(遊技領域２０ａ)に開口する部分が、前記第２経路３０ｂ(遊技領域２０ａ)を流下するパチンコ球が入賞可能な第２普通入賞口(入賞口)４５として機能している。
第２アウト口４７および第２普通入賞口４５は、前記第２経路３０ｂに植設した後述するサイド案内連釘５９の下方に位置しており、該サイド案内連釘５９の隙間５９ａを通過したパチンコ球が第２アウト口４７および第２普通入賞口４５に入球可能に構成されている。
【００３８】
(第１球案内通路４８について)
　前記前構成部材４２には、図８に示す如く、前記第１転動面部４３ａの下流端から下方に延在した後に、前壁４２ａの下側の端縁に沿って延在する案内壁４２ｃが前壁４２ａから後方に向けて突設されている。この案内壁４２ｃは、図３に示す如く、前記第２転動面部４３ｂ、普通球受け通路部４４および第３転動面部４３ｃの下側に所定間隔離間して、前記第３盤面保護部材(レール部材)２１ｃと重なるように左右方向に延在している。なお、第２転動面部４３ｂ、普通球受け通路部４４および第３転動面部４３ｃと案内壁４２ｃとの離間寸法は、パチンコ球が通過可能な寸法に設定されており、該第２転動面部４３ｂ、普通球受け通路部４４および第３転動面部４３ｃと案内壁４２ｃとの間に、パチンコ球が転動(流下)可能な第１球案内通路(球案内通路)４８が形成される。具体的には、
第２転動面部４３ｂおよび第３転動面部４３ｃが上面に形成される上側壁４２ｂの下面および普通球受け通路部４４の下面と案内壁４２ｃの上面との間に、パチンコ球が転動(流下)可能な第１球案内通路(球案内通路)４８が形成される。また、第１球案内通路４８は、上流端が第２アウト口４７に連通すると共に、下流端が左方に開口しており、第２アウト口４７に入球したパチンコ球を右側から左側に向けて転動させ得るよう構成される。
　
　　　　　（ｅ）
「【００４０】
(第２球案内通路５０について)
　前記前壁４２ａには、第４転動面部４３ｄの上流端から下方に延在した後に、前壁４２ａの下流端(左端)まで左右方向に延在する区画壁４２ｄが前壁４２ａから後方に向けて突設されている。この区画壁４２ｄは、前壁４２ａの下側の端縁から上側に所定高さだけ離間して延在しており、該
区画壁４２ｄと前記第３盤面保護部材(レール部材)２１ｃとの間に、パチンコ球が転動(流下)可能な第２球案内通路５０を画成している。
第２球案内通路５０の上流端には前記第１球案内通路４８が連通しており(図３参照)、第２アウト口４７および第３アウト口４９に入球したパチンコ球は、最終的には第２球案内通路５０の出口から遊技領域２０ａに通出するよう構成される。
【００４１】
　前記
第２球案内通路５０の出口は、図３に示す如く、前記右下部案内連釘４０ｂの下側で左方に向けて開口しており、該出口から通出されるパチンコ球は、前記第１アウト口２４に向けて流下するよう構成される。すなわち、第２アウト口４７および第３アウト口４９に入球したパチンコ球は、第２球案内通路５０の出口から遊技領域２０ａに通出した後に、入賞口に入賞してセーフ球となることなく第１アウト口２４から機外に排出されるようになっている。
　
　　　　　（ｆ）
「【００５２】
(サイド案内連釘５９について)
　前記
枠状装飾体２９と
装飾体３８との間に臨む遊技領域２０ａ(第２経路３０ｂ)に、図３に示す如く、右側から左側に向けて下方傾斜する線上に沿って複数の遊技釘２５が並ぶように設けられている。
このサイド案内連釘５９は、図３に示す如く、最上部が前記第１転動面部４３ａの下流端に近接し、該最上部から第２アウト口４７、第２転動面部４３ｂおよび第２普通入賞口４５の上方を左側に延在して、最下部が前記第３転動面部４３ｃの上流端に近接位置している。
サイド案内連釘５９を構成する遊技釘２５は、第２アウト口４７と第２普通入賞口４５との間の第２転動面部４３ｂの上方でパチンコ球が通過可能な隙間５９ａが空くように設けられており、該サイド案内連釘５９上を移動するパチンコ球が隙間５９ａから落下することで、該パチンコ球が第２アウト口４７および第２普通入賞口４５に入球し得るようになっている。
　
　　　　　（ｇ）
「【００６２】
(サイド装飾体３８の作用)
　前記
第２経路３０ｂを流下して前記サイド装飾体３８に設けられた前記第１転動面部４３ａ上に落下したパチンコ球は、該第１転動面部４３ａ上を左方に転動し、前記サイド案内連釘５９上に移り、前記隙間５９ａから落下した場合は、前記第２普通入賞口４５や第２アウト口　４７に入球可能となる。第２普通入賞口４５にパチンコ球が入賞すると、該パチンコ球は前記普通球受け通路部４４および球案内樋４６を介してセーフ球用排出経路に誘導されて機外に排出されると共に、所定数の賞球が払い出される。
…
【００６５】
…
実施例のサイド装飾体３８では、特別入賞口５２の上流側に複数のアウト口４７,４９を設けているので、前記第１転動面部４３ａ上に落下したパチンコ球がアウト口４７,４９に入球するかしないかに対する関心を高め、遊技の興趣を向上し得る。
…
【００６８】
　前記
サイド装飾体３８に設けた第２アウト口４７、第２普通入賞口４５、第３アウト口４９および特別入賞口５２は、図４に示す如く、前記転動面４３に沿って一列に並んでいるので、該転動面４３を転動するパチンコ球がどの口４７,４５,４９,５２に入球するのかに対する関心を高め、遊技の興趣を向上し得る。
　
　　　　　（ｈ）
「【００７０】
(変更例)
　本願は前述した実施例の構成に限定されるものではなく、その他の構成を適宜に採用することができる。…
(3) 実施例では、サイド装飾体(基部材)に２つのアウト口を設けたが、アウト口は１つでも３つ以上であってもよい。また、入賞口(第２普通入賞口)についても、１つに限らず２つ以上設ける構成を採用し得る。そして、アウト口および入賞口を複数ずつ設ける構成では、転動面におけるパチンコ球の流下方向での各口の順序は任意に設定可能である。
(4) 実施例では、
第２アウト口
に入球したパチンコ球を、
第２アウト口および第３アウト口に入球したパチンコ球が遊技盤の裏側に通出する通路をサイド装飾体に設け、遊技盤の裏側に配設される設置部材に設けた排出通路を介してパチンコ球を機外に排出する構成を採用し得る。
　
　　　　　ｂ　認定事項について
　　　　　（ａ）
　引用文献１の【００１９】に「遊技領域２０ａ…には、該遊技領域２０ａに打ち出されたパチンコ球を排出する第１アウト口２４が開設されている。」ことが記載され、【００４１】に「第２アウト口４７および第３アウト口４９に入球したパチンコ球は、…セーフ球となることなく…排出されるようになっている。」ことが記載され、【００７０】に「…サイド装飾体(基部材)に２つのアウト口を設けたが、アウト口は１つでも…よい。…入賞口(第２普通入賞口)についても、１つに限らず２つ以上設ける構成を採用し得る。…第２アウト口…に入球したパチンコ球を、…遊技盤の裏側に配設される…排出通路を介して…機外に排出する構成を採用し得る。」ことが記載されていることから、引用文献１には、２つのアウト口「第２アウト口４７」と「第３アウト口４９」を１つのアウト口とすること、例えば、「第２アウト口４７」のみとすることが記載されている。　すると、引用文献１には、「遊技領域２０ａを流下するパチンコ球をセーフ球となることなく、遊技盤の裏側に配設される排出通路を介して機外に排出する、第１アウト口２４および第２アウト口４７」について記載されているものと認められる。
　
　　　　　（ｂ）
　　　　　（ｂ−１）
　引用文献１の【００３４】に、「
前記サイド装飾体３８は、前記本体４１の前側に配設されて、前記第３盤面保護部材(レール部材)２１ｃの内側に隣接するように延在する前記前構成部材４２を備え、該前構成部材４２が遊技領域２０ａ(第２経路３０ｂ)に臨んでいる。
　
　【図３】：実施例に係る遊技盤をサイド装飾体における前構成部材の部分で縦断した要部正面図である。
　
　【図５】：実施例に係るサイド装飾体を前側から見た概略斜視図である。
　
　【図８】：実施例に係るサイド装飾体における本体、前構成部材、発光装置、張出し部および開閉部材を分解した状態で後側から見た概略斜視図である。
　
　したがって、引用文献１には、サイド装飾体３８が、第１アウト口２４の斜め上方に、第３盤面保護部材（レール部材）２１ｃの内側に隣接して設けられていることが示されているものと認められる。
　
　　　　　（ｂ−２）
　引用文献１の【００３５】に「前記前構成部材４２には、前記前壁４２ａにおける左右方向に延在する上側の端縁部に沿って延在する上側壁４２ｂの上面(外側面)に、遊技領域２０ａ(第２経路３０ｂ)を流下するパチンコ球を受けて右側から左側に向かってパチンコ球を転動させ得る転動面４３が形成されている。…そして、このように不連続で延在する上側壁４２ｂの上面に形成される転動面４３は、前構成部材４２の最も右側の上部に位置する第１転動面部４３ａと、…から構成される。実施例では、第１転動面部４３ａ…が左下方傾斜する」ことが記載され、【図３】に、第１転動面部４３ａの右上端部が、第３盤面保護部材２１ｃに隣接すること、および、第１転動面部４３ａが、左右中心線側に向けて左下方傾斜することが図示されていることから、引用文献１には、「サイド装飾体３８は、前構成部材４２を備え、前構成部材４２には、前壁４２ａにおける左右方向に延在する上側の端縁部に沿って延在する上側壁４２ｂの上面（外側面）に、遊技領域２０ａ（第２経路３０ｂ）を流下するパチンコ球を受けて右側から左側に向かってパチンコ球を転動させ得る転動面４３が形成され、当該転動面４３の最も右側の上部に、左右中心線側に向けて左下方傾斜する第１転動面部４３ａが位置し、第１転動面部４３ａの右上端部は、第３盤面保護部材２１ｃに隣接する」ことが示されているものと認められる。
　
　　　　　（ｃ）
　引用文献１の【００３５】に「前記前構成部材４２には、前記前壁４２ａにおける左右方向に延在する上側の端縁部に沿って延在する上側壁４２ｂの上面(外側面)に、遊技領域２０ａ(第２経路３０ｂ)を流下するパチンコ球を受けて右側から左側に向かってパチンコ球を転動させ得る転動面４３が形成されている。上側壁４２ｂは、図４,図７,図８に示す如く、後述する第２アウト口４７、第２普通入賞口４５、第３アウト口４９および特別入賞口５２の画成部分がが切り欠かれて、左右方向に不連続に延在している。」ことが記載され、【図８】に、第１転動面部４３ａの延長面より下方に、第２アウト口４７、第２普通入賞口４５の画成部分が位置することが図示されている。
　また、【００７０】に「…サイド装飾体(基部材)に２つのアウト口を設け
たが、アウト口は１つでも…よい。…入賞口(第２普通入賞口)についても、１つに限らず２つ以上設ける構成を採用し得る。」ことが記載されているから、引用文献１には、「第２普通入賞口４５」に、もう１つの普通入賞口を加えて、２つの普通入賞口を設けることが記載されている。
　すると、引用文献１には、「上側壁４２ｂの上面に形成された第１転動面部４３ａの延長面より下方に、上側壁４２ｂに切り欠かれて、左右方向に不連続に延在している、第２アウト口４７、２つの普通入賞口の画成部分が位置する」ことが示されているものと認められる。
　
　　　　　ｃ　引用発明
　上記記載事項、および、上記認定事項、および、図面の図示内容を総合勘案すると、引用文献１には、次の発明（以下「引用発明」という。）が記載されていると認められる（なお、記号ａないしｈは、本願発明の構成Ａ〜Ｈに対応させて合議体が付した。）。
「ａ　前面にパチンコ球が流下可能な遊技領域２０ａが画成されている遊技盤２０（【００１８】）と、
　ｂ　前記遊技盤２０の前面に配設され、遊技領域２０ａを画成する案内レール２２および第３盤面保護部材２１ｃ（【００１８】）と、
　ｃ　遊技領域２０ａ内に発射され、枠状装飾体２９および第３盤面保護部材２１ｃの間に形成される第２経路３０ｂを流下するパチンコ球が入賞可能な２つの第２普通入賞口４５と（【００２３】、【００３７】、【００７０】）、を備え、
　２つの第２普通入賞口４５にパチンコ球が入賞すると、所定数の賞球が払い出され（【００６２】、【００７０】）、
　ｄ　遊技領域２０ａを流下するパチンコ球をセーフ球となることなく、遊技盤の裏側に配設される排出通路を介して機外に排出する、第１アウト口２４および第２アウト口４７（認定事項（ａ））と、を備えるパチンコ機１０（【００１５】）において、
　ｅ　第１アウト口２４は、遊技領域２０ａの最下部位置に開設され（【００１９】）、
　ｆ　サイド装飾体３８が、第１アウト口２４の斜め上方に、第３盤面保護部材（レール部材）２１ｃの内側に隣接して設けられ（認定事項ｂ―１）、　ｆ１　サイド装飾体３８は、前構成部材４２を備え、前構成部材４２には、前壁４２ａにおける左右方向に延在する上側の端縁部に沿って延在する上側壁４２ｂの上面（外側面）に、遊技領域２０ａ（第２経路３０ｂ）を流下するパチンコ球を受けて右側から左側に向かってパチンコ球を転動させ得る転動面４３が形成され、当該転動面４３の最も右側の上部に、左右中心線側に向けて左下方傾斜する第１転動面部４３ａが位置し、第１転動面部４３ａの右上端部は、第３盤面保護部材２１ｃに隣接し（認定事項（ｂ−２））、　ｆ２、ｇ　上側壁４２ｂの上面に形成された第１転動面部４３ａの延長面より下方に、上側壁４２ｂに切り欠かれて、左右方向に不連続に延在している、第２アウト口４７、２つの普通入賞口の画成部分が位置する（認定事項（ｃ））
　ｈ　パチンコ機１０。」　　
　
　　　（イ）引用文献２
　新たに引用する、本願の出願前に電気通信回線を通じて公衆に閲覧可能となった特開２０１５−１１６３００号公報（以下「引用文献２」という。）には、図面とともに以下の事項が記載されている。
　　　　　ａ　記載事項について
　　　　　（ａ）
「【技術分野】
【０００１】
　本発明は、遊技領域に配置され、遊技球が入球すると賞球払出装置によって所定数の遊技球（賞球）が払い出される入賞口を備える
パチンコ遊技機
　
　　　　　（ｂ）
「【００３０】
　
その他入賞口４３・４４・４５は、一面が開口されたポケット状に形成され、遊技球が入球（入賞）可能に形成される部材である。その他入賞口４３・４４・４５は、遊技領域７の左下部であって適宜な位置に３個配置される。
遊技球が入球すると図示せぬ賞球払出装置によって所定数の遊技球（賞球）が払い出されるように構成される。
【００３１】
　
アウト口１６は、遊技領域７を転動する遊技球が、その他入賞口１４、始動口２３、大入賞口２６等の各入賞口に入球（入賞）しなかった場合に、最終的に流入する開口部である。アウト口１６は、遊技領域７の最下部に、遊技板５を前後方向に貫通して形成される。なお、アウト口１６に流入した遊技球は、パチンコ遊技機が設置されたパチンコホール等の遊技場側に回収される。
　
　　　　　（ｃ）
「【００３８】
　次に、本実施形態に係るその他入賞口ユニット４１について図５から図８を用いて説明する。
　
その他入賞口ユニット４１は、遊技領域７の左下部分に配置されており、ベースとなる板状のベース部材４２と、ベース部材４２に設けられた三つのその他入賞口４３・４４・４５と、
アウト口５１と、を有する。
　ベース部材４２は、図５及び図８に示すように、ベースとなる板状に形成されており、その左下側は遊技領域７に沿うように円弧状に形成されている。ベース部材４２には、図８に示すように、表面から裏面にかけてその他入賞口４３・４４・４５に対応する入賞口孔４３ａ・４４ａ・４５ａと、アウト口５１とが形成されている。入賞口孔４３ａ・４４ａ・４５ａと、アウト口５１とはベース部材の裏面から後方へ立設した壁４２ａによりそれぞれが区画されている。ベース部材４２を遊技板５に固定することにより、その他入賞口ユニット４１を遊技板５に固定する。
【００３９】
　図５から図７に示すように、その他入賞口４３・４４・４５は三つ形成されており、ベース部材４２を遊技板５に固定した時に最も上流側に配置される第一のその他入賞口４３と、二番目に上流側に配置される第二のその他入賞口４４と、三番目に上流側に配置される第三のその他入賞口４５とから構成される。ここで、遊技領域７を遊技球が転動する方向に対して上流側及び下流側を定義する。すなわち、本実施形態において、ベース部材４２を遊技板５に固定した時の上流側とは、左上側であり、下流側とは、右下側である。すなわちその他入賞口４３・４４・４５は、一面が開口されたポケット状に形成され、その内部に遊技球が入球（入賞）可能に構成される。第一のその他入賞口４３は、上方が開口されたポケット状に形成されており、左右の側壁４３ｂ・４３ｃと、下壁４３ｄと、前壁４３ｅとを有し前壁４３ｅの後方に入賞口孔４３ａが形成されている。…
【００４１】
　第二の
その他入賞口４４は、上方が開口されたポケット状に形成されている。
その他入賞口４５は、右方が開口されたポケット状に形成されている。
【００４２】
　
立ち壁部材４６は、ベース部材４２に固定されており、
立ち壁部材４６は．最も上流側に配置される第一誘導壁４６ａと、
　
　　　　　（ｄ）
「【００４５】
　次に、本実施形態に係るその他入賞口ユニット４１のアウト通路６１・６２・６３へ向かう遊技球の流れについて図９を用いて説明する。
　
その他入賞口４３・４４・４５へ向かう遊技球は、複数の遊技釘と衝突し、第一のアウト通路６１、第一のその他入賞口４３、第二のアウト通路６２、第二のその他入賞口４４、第三のその他入賞口４５のいずれかに案内される。いずれにも案内されなかった遊技球はさらに下流のアウト口１６へと案内される。
　
　　　　　ｂ　引用文献２に記載の技術事項　上記記記載事項、および、図面の図示内容を総合勘案すると、引用文献２には、次の技術事項（以下「引用文献２に記載の技術事項」という。）が記載されていると認められる（なお、記号ｅ−２ないしｈ−２は、本願発明の構成Ｅ〜Ｈに対応させて合議体が付した。）。
「ｅ−２　遊技領域７の最下部に、遊技板５を前後方向に貫通して形成されるアウト口１６（【００３１】）と、
　ｆ−２’遊技領域７の左下部分に配置されているその他入賞口ユニット４１（【００３８】）と、を備え、
　その他入賞口ユニット４１は、ベースとなる板状のベース部材４２と、ベース部材４２に設けられた三つのその他入賞口４３・４４・４５と、第一のアウト通路６１および第二のアウト通路６２の下流側が通じているアウト口５１とを有し（【００３８】）、
　ベース部材４２には、最も上流側に配置される第一誘導壁４６ａを有する立ち壁部材４６が固定され（【００４２】）、
　ｇ２　その他入賞口４３は、上方が開口されたポケット状に形成され（【００３９】）、その他入賞口４４は、上方が開口されたポケット状に形成され、その他入賞口４５は、右方が開口されたポケット状に形成され（【００４１】）ている
　ｈ−２　パチンコ遊技機（【０００１】）。」
　
　（２−３）対比　本件補正発明と引用発明とを、分説に従い対比する。
　　（ａ）引用発明における「パチンコ球」は、本件補正発明における「遊技球」に相当し、引用発明における「前面に」「遊技領域２０ａが画成されている遊技盤２０」は、本件補正発明における「遊技領域を前面に備える遊技板」に相当する。
　したがって、引用発明における構成ａは、本件補正発明における構成Ａに相当する。
　
　　（ｂ）引用発明において、「案内レール２２および第３盤面保護部材２１ｃ」は、「遊技盤２０の前面に配設され」ていることから、遊技盤２０の前面から突出するものである。
　また、引用発明における「案内レール２２」および「第３盤面保護部材２１ｃ」は、「遊技領域２０ａを画成する」ものであるから、本件補正発明における「包囲壁」に相当する。
　したがって、引用発明における構成ｂは、本件補正発明における構成Ｂに相当する。
　
　　（ｃ）引用発明における「パチンコ球が入賞可能」であること、「パチンコ球が入賞すると所定数の賞球が払い出される」ことは、それぞれ、本件補正発明における「遊技球を受け入れ」ること、「遊技者に特典を付与する」ことに相当する。
　そして、引用発明における「２つの普通入賞口４５」は、本件補正発明における「入賞口」に相当する。
　したがって、引用発明における構成ｃは、本件補正発明における構成Ｃに相当する。
　
　　（ｄ）引用発明における「遊技領域２０ａを流下するパチンコ球を」「遊技盤の裏側に配設される排出通路を介して機外に排出」することは、本件補正発明における「遊技領域を流下する遊技球を遊技板の後側に受け入れて前側に戻さ」ないことに相当する。
　そして、引用発明の「パチンコ球をセーフ球となることなく」は、本件補正発明の「遊技者に特典を付与しない」ことに相当する。
　また、引用発明の「第１アウト口２４および第２アウト口４７」は、本件補正発明の「アウト口」に相当する。
　さらに、引用発明の構成ｄ、ｈの「パチンコ機１０」は、本件補正発明の「遊技機」に相当する。
　したがって、引用発明の構成ｄ、ｈは、本件補正発明の構成Ｄ、Ｈに相当する。
　
　　（ｅ）引用発明の「遊技盤２０の最下部位置近傍に開設」されることは、本件補正発明の「遊技板の最下部近傍に配置」されることに相当する。
　そして、引用発明の「第１アウト口２４」は、本件補正発明の「第１の前記アウト口」に相当する。
　したがって、引用発明の構成ｅは、本件補正発明の構成Ｅに相当する。　
　
　　（ｆ）引用発明の「サイド装飾体３８」は、構成ｂ、ｆより、「遊技領域２０ａを画成する」「第３盤面保護部材（レール部材）２１ｃの内側に隣接して設けられ」るものである。
　一方、引用発明の構成ｅより、「第１アウト口２４」は、「遊技領域２０ａの最下部位置に開設され」たものである。
　したがって、引用発明の「サイド装飾体３８」は、「第１アウト口２４」が「開設された」る「遊技領域２０ａの最下部位置」より上側に設けられていることは明らかである。
　ゆえに、引用発明の「サイド装飾体３８」は、本件補正発明の「隣接突部」に相当する。
　よって、引用発明の構成ｆは、本件補正発明の構成Ｆに相当する。
　　（ｆ１）引用発明における「上側壁４２ｂの上面（外側面）」が、「前壁４２ａにおける左右方向に延在する上側の端縁部に沿って延在する」ことは、本件補正発明における「上部に設けられて横方向に延び」ることに相当する。
　そして、引用発明における「右上端部は、第３盤面保護部材２１ｃに隣接」することは、本件補正発明における「一端部が包囲壁に隣接」することに相当する。
　また、引用発明における「遊技領域２０ａ（第２経路３０ｂ）を流下するパチンコ球を受けて右側から左側に向かってパチンコ球を転動させ得る」、「左右中心線側に向けて左下方傾斜する第１転動面部４３ａ」は、本件補正発明における「他端部に向かって下るように傾斜して、包囲壁沿いに流下してくる遊技球を遊技領域の横方向中央側に案内するガイド傾斜面」に相当する。
　したがって、引用発明の構成ｆ１は、本件補正発明の構成Ｆ１に相当する。
　
　　（ｆ２）上記（ｆ１）より、引用発明の「第１転動面部４３ａ」は、本件補正発明の「ガイド傾斜面」に相当することから、引用発明の「第１転動面部４３ａの延長面より下方に」「位置する」ことは、本件補正発明の「ガイド傾斜面から延長した架空の延長面より下方に位置」することに相当する。
　そして、引用発明の「第１転動面部４３ａ」を含む構成ｆ１の「転動面４３」は、構成ｆ、ｆ１より、「サイド装飾体３８」に形成されるものであって、上記（ｆ）より、引用発明の「サイド装飾体３８」は、本件補正発明の「隣接突部」に相当するものである。
　また、引用発明の「２つの普通入賞口４５」、「第２アウト口４７」は、それぞれ、本件補正発明の「入賞口」、「第２の前記アウト口」に相当する。
　さらに、引用発明の「上側壁４２ｂは、構成ｆ１より、「サイド装飾体３８」が備える「前構成部材４２」に設けられるものである。
　そうすると、引用発明の「上側壁４２ｂに切り欠かれて、左右方向に不連続に延在している、第２アウト口４７、２つの普通入賞口の画成部分」は、本件補正発明の「隣接突部に設けられ」「入賞口と第２の前記アウト口とを有する特別入球部」に相当する。
　したがって、引用発明の構成ｆ２、ｇは、本件補正発明の構成Ｆ２に相当する。
　
　　（ｇ）上記（ｆ２）より、引用発明の「上側壁４２ｂに切り欠かれて、左右方向に不連続に延在している、第２アウト口４７、２つの普通入賞口の画成部分」は、本件補正発明の「特別入球部」に相当する。　そうすると、引用発明の構成ｆ２、ｇの「２つ普通入賞口」を有する「上側壁４２ｂに切り欠かれて、左右方向に不連続に延在している、第２アウト口４７、２つの普通入賞口の画成部分」と、本件補正発明の構成Ｇの「２つの入賞口が設けられ、前記２つの入賞口は互いに異なる方向に開口している」「特別入球部」とは、「２つの入賞口が設けられている特別入球部」である点で共通する。
　
　　上記（ａ）〜（ｇ）によれば、本件補正発明と引用発明は、「Ａ　遊技球が流下可能な遊技領域を前面に備える遊技板と、
　Ｂ　前記遊技板の前面から突出し、前記遊技領域を包囲する包囲壁と、　　Ｃ　前記遊技領域を流下する遊技球を受け入れて、遊技者に特典を付与する入賞口と、
　Ｄ　前記遊技領域を流下する遊技球を前記遊技板の後側に受け入れて前側に戻さず、遊技者に特典を付与しないアウト口と、を有する遊技機において、
　Ｅ　前記遊技板の最下部近傍に配置された第１の前記アウト口と、
　Ｆ　前記第１のアウト口より上側で前記包囲壁の内側に隣接配置される隣接突部と、
　Ｆ１　前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、　Ｆ２　前記隣接突部に設けられ、前記ガイド傾斜面から延長した架空の延長面より下方に位置しかつ、前記入賞口と第２の前記アウト口とを有する特別入球部と、を備えた、
　Ｇ´前記特別入球部は、２つの前記入賞口が設けられている
　Ｈ　遊技機。」の点で一致し、次の点で相違する。
　
　[相違点]（構成Ｇ）
　２つの入賞口が設けられている特別入球部に関して、本件補正発明は「２つの入賞口は互いに異なる方向に開口している」のに対して、引用発明は、「２つの普通入賞口」の開口方向が互いに異なるか否か不明である点。　　
　
　（２−４）合議体の判断
　上記相違点について検討する。
　普通入賞口を２つ設けるに際し、その方向をどのようにするかは、普通入賞口の数や配置、釘の配置のほか、アウト口の数や配置、始動入賞口の数や配置などを考慮して、適宜設計できるものである。
　例えば、引用文献２には、技術事項の構成ｇ−２として、「上方が開口されたポケット状に形成され」た「その他入賞口４３」もしくは「その他入賞口４４」、および、「右方が開口されたポケット状に形成され」た「その他入賞口４５」のように、複数の普通入賞口の開口の向きが異なる構成が開示されている。
　すると、引用発明の「サイド装飾体３８」に設けられた「２つの普通入賞口」の開口の向きを異なる方向とすることは、当業者が容易になし得たものである。
　また、本件補正発明により奏される効果は、引用発明および引用文献２に記載の技術事項から、当業者が予測可能な範囲内のものである。　
　
　（２−５）請求人の主張について
　請求人は、令和２年１月２８日付け審判請求書において、次の主張をしている。
「本願請求項１の発明は、隣接突部に備えられた特別入球部に、２つの入賞口が設けられ、これら２つの入賞口が互いに異なる方向に開口している、という特徴的な構成を有しています。２つの入賞口の開口の向きが異なることで、特別入球部に到達した遊技球が、一方の入賞口には入球できないような方向から流下してきたとしても、他方の入賞口には入球して特典を得られることもあり、遊技球の多様な流下態様に対応して、入賞口に入賞する遊技球の動作のバリエーションを増やすことができ、趣向性が高い遊技を楽しむことができます。
　これに対して、引用文献１（特開２０１５−０９７７６５号公報）の発明では、段落［００３７］、図３及び図４に、隣接突部（前構成部材４２）に、入賞口（第２入賞口４５）が１つ備えられている、という記載があります。また、段落［００７０］には、隣接突部に入賞口を２つ以上設ける構成を採用し得る、との記載があります。しかしながら、隣接突部に２つの入賞口を設ける構成を採用し得たとしても、これら入賞口の開口の向きが異なるという本願の特徴的な構成についての記載や示唆は一切ありません。しかも、引用文献１では、段落［００３６］、［００３７］に、隣接突部に備えられた入賞口だけではなく、２つのアウト口（４７，４９）もすべて上方に開口するとの記載があり、これらの記載から、たとえ隣接突部に２つの入賞口を設ける構成を採用し得たとしても、２つの入賞口は全て上方に開口する構成にしかなり得ません。この構成では、入賞口がみな同じ向きに開口しているので、入賞口に入賞する遊技球の動作は同じようなものとなってしまいます。」（４．本願発明が特許されるべき理由）
　
　そこで、請求人の上記主張について検討する。
　上記第２［理由］２（１）ウ（イ）で検討したとおり、本件効果は、本件補正事項のみで奏し得るものではなく、当初明細書等記載の構成と合せて奏し得るものである。
　すると、請求人が主張する上記効果は、本件補正発明が奏し得るものではないから、請求人の上記主張は、特許請求の範囲の記載に基づくものではない。
　よって、請求人の上記主張を採用することはできない。
　
　（２−６）小括
　本件補正発明により奏される効果は、当業者が、引用発明および引用文献２に記載の技術事項から予測し得た効果の範囲内のものであって、格別なものではない。
　上記（２−３）〜（２−５）における検討内容より、本件補正発明は、引用発明１、および、引用文献２に記載の技術事項に基いて当業者が容易に発明をすることができたものであるから、特許法第２９条第２項の規定により、特許出願の際に独立して特許を受けることができないものである。
　
　（３）まとめ
　上記（１）、（２）より、本件補正は、同法第１７条の２第３項の規定に違反するので、同法第１５９条第１項において読み替えて準用する同法第５３条第１項の規定により却下すべきものであり、仮に同法第１７条の２第３項の規定に違反せず同法第１７条の２第５項第２号に掲げる「特許請求の範囲の減縮」を目的とする補正であるとしても、本件補正発明は特許法第２９条第２項の規定により、特許出願の際に独立して特許を受けることができないものであるから、本件補正は、同法第１７条の２第６項において準用する同法１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、令和元年７月３日付け手続補正書の請求項１に記載されたとおりのものであるところ、上記第２[理由]１（１）に本件補正前の請求項１として記載したとおりのものである。
　２　原査定の拒絶の理由
（新規性）この出願の請求項１に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（進歩性）この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　＜引用文献等一覧＞
　　１.特開２０１５−９７７６５号公報
　
　３　引用文献に記載された事項
　原査定の拒絶の理由に引用文献として引用された引用文献１の記載事項、および、引用発明の認定については、上記「第２[理由]２（２）イ（ア）」に記載したとおりである。
　
　４　対比・判断
　本願発明は、上記「第２[理由]２（２）ア」で検討した本件補正発明から、構成Ｇの限定を省くものである。
　そうすると、上記「第２[理由]２（２）ウ」における検討内容からみて、本願発明と引用発明とを対比したとき、相違する点はない。
　
　したがって、本願発明は、引用発明である。
　
　５　むすび
　上記１〜４より、本願発明は、特許法第２９条第１項第３項に該当し特許を受けることができない。
　したがって、本願は拒絶すべきものである。
　
　よって、結論のとおり審決する。